【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
フレームと、
前記フレームに接続され、土地または他の面にわたって散布される粒状物質を収容するように構成されたホッパと、
前記フレームに回転可能に接続された２つの車輪と、
前記ホッパの下方で前記フレームに回転可能に接続され、前記粒状物質を散布するように構成された第１のロータおよび第２のロータであって、互いに反対方向に独立して回転する第１のロータおよび第２のロータと、
前記第１および第２のロータを駆動するように構築された駆動列であって、少なくとも１つの車輪から入力を受け取る駆動列と、
それぞれが、前記第１および第２のロータの異なる１つのロータの上方に配置されるように前記ホッパの下部に配置された２つの方形の排出ポートであって、それぞれが、重力によって、前記ホッパから、前記第１および第２のロータの前記異なる１つのロータの上に粒状物質が流れることができるように構成された２つの排出ポートと、
少なくとも１つの車輪の回転速度を直線速度に変換して、前記直線速度を所定の直線速度と比較し、前記比較の結果に関して、使用者にフィードバックを与えるように構成された速度測定システムと
を備えた散布機。
【請求項２】
前記使用者が見えるように配置された、前記フィードバックを与える指示器をさらに備えた、請求項１に記載の散布機。
【請求項３】
前記指示器が３つの表示灯を備え、前記３つの表示灯それぞれが、前記所定の直線速度に対する前記散布機の前記直線速度を示す、請求項２に記載の散布機。
【請求項４】
前記３つの表示灯が、赤色、緑色、および赤色の表示灯を含む、請求項３に記載の散布機。
【請求項５】
前記フィードバックが、前記散布機の直線速度が速すぎる、遅すぎる、または基準許容範囲内である表示を含む、請求項２に記載の散布機。
【請求項６】
携帯電子装置を保持するためのホルダであって、前記散布機の使用中に前記使用者にアクセス可能であるように配置されたホルダをさらに備えた、請求項１に記載の散布機。
【請求項７】
前記車輪が気泡ゴム材製である、請求項１に記載の散布機。
【請求項８】
前記粒状物質が、解氷粒、肥料、殺虫剤、除草剤、粒状土壌改良材、粒状油吸着材、粉状製品、粒状床清掃製品、および草の種のうちのいずれかを含む、請求項１に記載の散布機。
【請求項９】
それぞれが、前記第１および第２のロータの異なる１つのロータの上方に配置されるように前記ホッパの下部に配置された２つの追加の方形の排出ポートであって、それぞれが、重力によって、前記ホッパから、前記第１および第２のロータの前記異なる１つのロータの上に粒状物質が流れることができるように構成された２つの追加の方形の排出ポートをさらに備えた、請求項１に記載の散布機。
【請求項１０】
前記ホッパから、前記第１のロータの上に粒状物質が流れることができるように構成された第１のロータに接続された第１の攪拌機を更に備える、請求項１に記載の散布機。
【請求項１１】
前記第１の攪拌機または第２の攪拌機の一方に接続された歯車組立体と、
前記歯車組立体により伝達された回転運動の機能として、電流を発生させるようになっているステッパモータとを更に備える、請求項１に記載の散布機。
【請求項１２】
ステッパモータによって発生した電流量を決定し、この決定された電流量を基準の電流量と比較するように構成される論理集積回路を更に備える、請求項１１に記載の散布機。
【請求項１３】
前記第１および第２のロータのうちの少なくとも１つによって放出される前記粒状物質の少なくとも一部分を妨害するための物質偏向システムをさらに備えた、請求項１から１２のいずれか一項に記載の散布機。
【請求項１４】
前記物質偏向システムが、第１の可動偏向器および第２の可動偏向器を備え、前記第１の可動偏向器が第１の方向に回転し、前記第２の可動偏向器が前記第１の方向とは反対の第２の方向に回転し、
前記第１の可動偏向器が、作動されると前記第１のロータの少なくとも一部分を塞ぎ、前記第２の可動偏向器が、作動されると前記第２のロータの少なくとも一部分を塞ぐ、請求項１３に記載の散布機。
【請求項１５】
前記第１の可動偏向器および前記第２の可動偏向器が、少なくとも第１の位置と第２の位置との間を移動可能である、請求項１４に記載の散布機。
【請求項１６】
フレームと、
前記フレームに接続され、土地または他の面にわたって散布される粒状物質を収容するように構成されたホッパと、
前記フレームに回転可能に接続された２つの車輪と、
前記ホッパの下方で前記フレームに回転可能に接続され、前記粒状物質を散布するように構成された第１のロータおよび第２のロータであって、互いに反対方向に独立して回転する第１のロータおよび第２のロータと、
前記第１および第２のロータを駆動するように構築された駆動列であって、前記２つの車輪のうちの少なくとも１つの車輪から入力を受け取る駆動列と、
前記ホッパの下部に配置された第１の排出ポートであって、前記第１のロータの上方に配置され、重力によって、前記ホッパから、前記第１のロータの上に粒状物質が流れることができるように構成された第１の排出ポートと、
前記ホッパの下部に配置された第２の排出ポートであって、前記第２のロータの上方に配置され、重力によって、前記ホッパから、前記第２のロータの上に粒状物質が流れることができるように構成された第２の排出ポートと
を備えた散布機。
【請求項１７】
前記第１の排出ポートおよび前記第２の排出ポートの形状が実質的に方形である、請求項１６に記載の散布機。
【請求項１８】
前記ホッパの下部に配置され、前記第１の排出ポートに隣接した第３の排出ポートであって、前記第１のロータの上方に配置され、重力によって、前記ホッパから、前記第１のロータの上に粒状物質が流れることができるように構成された第３の排出ポートと、
前記ホッパの下部に配置され、前記第２の排出ポートに隣接した第４の排出ポートであって、前記第２のロータの上方に配置され、重力によって、前記ホッパから、前記第２のロータの上に粒状物質が流れることができるように構成された第４の排出ポートと
をさらに備えた、請求項１６に記載の散布機。
【請求項１９】
携帯電子装置を保持するためのホルダであって、前記散布機の使用中に前記使用者にアクセス可能であるように配置されたホルダをさらに備えた、請求項１６に記載の散布機。
【請求項２０】
前記車輪が気泡ゴム材製である、請求項１６に記載の散布機。
【請求項２１】
前記粒状物質が、解氷粒、肥料、殺虫剤、除草剤、粒状土壌改良材、粒状油吸着材、粉状製品、粒状床清掃製品、および草の種のうちのいずれかを含む、請求項１６に記載の散布機。
【請求項２２】
前記第１および第２のロータのうちの少なくとも１つによって放出される前記粒状物質の少なくとも一部分を妨害するための物質偏向システムをさらに備えた、請求項１６から２１のいずれか一項に記載の散布機。
【請求項２３】
前記物質偏向システムが、第１の可動偏向器および第２の可動偏向器を備え、前記第１の可動偏向器が第１の方向に回転し、前記第２の可動偏向器が前記第１の方向とは反対の第２の方向に回転し、
前記第１の可動偏向器が、作動されると前記第１のロータの少なくとも一部分を塞ぎ、前記第２の可動偏向器が、作動されると前記第２のロータの少なくとも一部分を塞ぐ、請求項２２に記載の散布機。
【請求項２４】
前記第１の可動偏向器および前記第２の可動偏向器が、少なくとも第１の位置と第２の位置との間を移動可能である、請求項２３に記載の散布機。